(57)【要約】【課題】印刷用紙の諸性能を低下させることなく、安価に簡便に木材パルプの使用量を低減すること。【解決手段】枚葉型の複写機、プリンターまたは印刷機における給紙用の用紙カセット底面に、ずれ防止用のシートを設置し、その上に、ＩＳＯ２１６またはＪＩＳ  Ｐ  ０１３８で規定されているそれぞれの寸法に対して長辺、短辺の長さが前記規格寸法の９０％以上１００％未満の印刷用紙を、前記ずれ防止用シートの中心と前記印刷用紙との中心を合わせて設置し、通紙する。【選択図】  なし【特許請求の範囲】
【請求項１】
ＩＳＯ２１６またはＪＩＳ  Ｐ  ０１３８で規定されているそれぞれの寸法に対し、長辺、短辺の長さが、前記規格寸法の９０％以上１００％未満である印刷用紙。
【請求項２】
紙を給紙する用紙カセットを備えた複写機、プリンターまたは印刷機への通紙方法であって、用紙カセット底面にずれ防止用のシートを設置し、その上に請求項１に記載の印刷用紙を、前記ずれ防止用シートの中心と前記印刷用紙との中心を合わせて設置する、上記通紙方法。
【請求項３】
前記ずれ防止用のシートの長辺、短辺の長さが、ＩＳＯ２１６またはＪＩＳ  Ｐ  ０１３８で規定されているそれぞれの寸法の１００％である、請求項２に記載の通紙方法。
【発明の詳細な説明】
【技術分野】
【０００１】
本発明は、印刷用紙１枚あたりの木材使用量を低減した上に、複写機やプリンターにおける良好な走行特性、及び品質の良好な印刷用紙に関するものである。
【背景技術】
【０００２】
近年、印刷用紙においても輸送及び郵送コストの削減などのため軽量化に対する要求が非常に高くなってきている。また環境の面からも、木材資源の利用節減が求められている。しかし、単純に軽量化すなわち印刷用紙の坪量を下げると紙の厚さが低下し、冊子のボリューム感が損なわれるため好ましくない。従って、消費者から求められている軽量化とは、紙重量を低下させながら、紙厚は低下させないこと、より好ましくは紙厚を高くすることであり、紙の軽量嵩高化が近年の重要な技術課題である。
【０００３】
木材パルプの使用量を低減する方法としては、紙の軽量化、すなわち単位面積あたりの重量を軽くする方法や、パルプ以外の原料の割合を高くする方法がある。また、紙の低密度化（嵩高化）の方法の一つとして製紙用パルプに関しての検討がなされている。その他の紙を嵩高にする方法としては架橋パルプを用いる方法（特許文献１）や合成繊維との混抄による方法（特許文献２）、パルプ間に無機物等の充填物を満たす方法（特許文献３）、発泡性粒子を用いる方法（特許文献４、５）などがある。また、嵩高剤を使用する方法も報告されている（特許文献６〜９）。
【０００４】
さらに、パルプ以外の原料を工夫して、木材パルプの使用量を低減する方法としては、紙に内填されている填料を高配合することも開示されている(特許文献１０)。
【０００５】
一方、紙の軽量化、低密度化は、例えば強度や剛度の低下を招いて印刷品質が悪化する原因となったり、複写機等へ通紙した際に走行トラブルを引き起こすなどの問題があった。しかし、上述したいずれの既存技術でも、印刷用紙の諸性能を満足することは困難であった。
【先行技術文献】
【特許文献】
【０００６】
【特許文献１】特開平３−２６９１９９号公報
【特許文献２】特開平３−１２４８９５号公報
【特許文献３】特開平５−２３０７９８号公報
【特許文献４】特開平１１−２００２８２号公報
【特許文献５】ＷＯ０９８／０３７３０号公報
【特許文献６】特開平１１−２００２８３号公報
【特許文献７】特開平１１−２００２８４号公報
【特許文献８】特開平１１−２６９７９９号公報
【特許文献９】特開平１１−３５０３８０号公報
【特許文献１０】特開平４−１８５７９２号公報
【発明の概要】
【発明が解決しようとする課題】
【０００７】
以上の状況に鑑み、本発明の課題は、印刷用紙の諸性能を低下させることなく、しかも特殊なパルプ、薬品、添加剤などを使用せずに、安価に簡便に木材パルプの使用量を減らすことである。
【課題を解決するための手段】
【０００８】
本発明者等は、上記の課題を解決すべく鋭意検討した結果、通常、印刷用紙として使用する寸法に着目し、通常よりサイズを小さくすることにより、印刷用紙の諸性能を低下させることなく木材パルプの使用量を減ずることができることを見出した。また、ずれ防止用シートを併用することで、複写機または印刷機での走行性の悪化を防止できることを見出し、本発明を完成するに至った。
【０００９】
すなわち、これに限定されるものではないが、本発明は以下の発明を含む。
（１）ＩＳＯ２１６またはＪＩＳ  Ｐ  ０１３８で規定されているそれぞれの寸法に対し、長辺、短辺の長さが、前記規格寸法の９０％以上１００％未満である印刷用紙。
（２）紙を給紙する用紙カセットを備えた複写機、プリンターまたは印刷機への通紙方法であって、用紙カセット底面にずれ防止用のシートを設置し、その上に（１）に記載の印刷用紙を、前記ずれ防止用シートの中心と前記印刷用紙との中心を合わせて設置する、上記通紙方法。
（３）前記ずれ防止用のシートの長辺、短辺の長さが、ＩＳＯ２１６またはＪＩＳ  Ｐ  ０１３８で規定されているそれぞれの寸法の１００％である、（２）に記載の通紙方法。
【発明の効果】
【００１０】
本発明は印刷用紙の諸品質を低下させることなく、１枚あたりの木材使用量を低減することができる。また、パルプに加工することなく、薬品や添加剤も使用する必要がないため、安価で簡便に印刷用紙を製造することができる。このような理由から、環境負荷の少ない印刷用紙を製造することができる。
さらに、ずれ防止用シートを使用することにより、複写機やプリンター内での走行性や収容性を損なわない印刷用紙を提供することができる。
【発明を実施するための形態】
【００１１】
本発明の印刷用紙は、紙を給紙する用紙カセットを備えた複写機、印刷機またはプリンターに使用される紙であり、枚葉複写、枚葉印刷する方式であれば、いずれの方式のものにでも好適に使用できる。具体的には、写電子写真方式で画像を形成する複写機、レーザービームプリンター方式のプリンター、インクジェット方式のプリンター、オフセット印刷機、その他の枚葉印刷型の印刷機が挙げられるが、一般的に、これらの複写機等において、用紙に印字する場合、余白部分の面積は無駄になっていた。
【００１２】
本発明の印刷用紙は、各種の工業規格で決められた寸法より、若干小さくすることにより、余白面積を少なくし、その分、木材パルプの使用量を削減することができる。
【００１３】
本発明の印刷用紙は、ＩＳＯ２１６またはＪＩＳ  Ｐ  ０１３８で規定されているそれぞれの規格の用紙に対し、長辺、短辺の長さが、前記規格寸法の９０％以上１００％未満である。例えば、ＩＳＯ２１６のＡ列Ａ３規格の用紙は、寸法２９７ｍｍ×４２０ｍｍであるが、本発明の印刷用紙は、前記Ａ３規格の長辺、短辺の長さが２９７ｍｍ×４２０ｍｍの９０％以上１００％未満であり、それをＡ３規格の用紙として使用する。９０％より小さくなると、別の規格となってしまうため木材パルプの使用量削減には寄与しない。
【００１４】
本発明に使用するパルプとしては、通常使用する種類のパルプでよく、例えば、針葉樹晒しクラフトパルプ(ＮＢＫＰ)、広葉樹晒しクラフトパルプ（ＬＢＫＰ）、針葉樹晒しサルファイトパルプ(ＮＢＳＰ)、広葉樹晒しサルファイトパルプ（ＬＢＳＰ）、機械パルプ（ＧＰ）、サーモメカニカルパルプ（ＴＭＰ）、古紙パルプ、脱墨パルプ（ＤＩＰ）などが挙げられる。これらのパルプを単独あるいは数種類目的に応じた比率で混合して用いることができる。なお、本発明の古紙パルプの原料としては、（財）古紙再生促進センターの古紙標準品質規格表に示されている、上白、罫白、クリーム白、カード、特白、中白、模造、色白、ケント、白アート、特上切、別上切、新聞、雑誌などが挙げられる。
【００１５】
さらに具体例としては、情報関連用紙である非塗工コンピュータ用紙、感熱紙、感圧紙等のプリンター用紙、及びＰＰＣ用紙等のＯＡ古紙、アート紙、コート紙、微塗工紙、マット紙等の塗工紙、あるいは上質紙、色上質、ノート、便箋、包装紙、ファンシーペーパー、中質紙、新聞用紙、更紙、スーパー掛け紙、模造紙、純白ロール紙、ミルクカートン等の非塗工紙の紙や板紙の古紙で、化学パルプ紙、高歩留りパルプ含有紙等が使用されるが、印字、複写、印刷、非印刷を問わず特に限定されるものではない。
【００１６】
本発明の填料としては、一般的な填料を使用することができ、例えば軽質炭酸カルシウム、重質炭酸カルシウム、カオリン、クレー、タルク、酸化チタン、無定型シリケート等が挙げられ、本発明の効果を損なわない範囲でその他の填料も併用することができるが、抄紙工程でのワイヤー磨耗性、複写機等内での紙粉発生トラブル、２枚以上の紙を同時に送る重送トラブルを抑制する観点から軽質炭酸カルシウムが最も好ましい。
【００１７】
内添サイズ剤としては、ロジン系サイズ剤、合成サイズ剤、石油樹脂系サイズ剤、中性サイズ剤などのサイズ剤が使用できる。硫酸バンド、カチオン化デンプン等、適当なサイズ剤と繊維への定着剤を組合せて使用することができる。
【００１８】
なお、染料、ｐＨ制御剤、消泡剤、ピッチコントロール剤、等の抄紙用内添助剤を目的に応じて適宜添加することも可能である。
【００１９】
本発明の印刷用紙の抄紙方法については特に限定されるものではなく、長網抄紙機、ツインワイヤー抄紙機を用いて、酸性抄紙、中性抄紙、アルカリ性抄紙方式で抄紙したいずれであってもよい。
【００２０】
また、本発明の印刷用紙は、サイズプレス工程で成紙の表面にデンプン、ポリビニルアルコール、ラテックス、無水マレイン酸系サイズ、オレフィン系サイズ、スチレン−アクリル酸系サイズ等の各種表面サイズ剤、エチレン−尿素樹脂等の寸法安定化剤、塩化ナトリウム、塩化カリウム、硫酸ナトリウムなどの無機導電剤、ジメチルアミノエチルメタアクリレートなどの有機導電剤、界面活性剤、顔料、染料を塗布することができる。
【００２１】
サイズプレス工程で塗沫する方式としては、コンベンショナルサイズプレス（２ロール、ポンド方式）、ゲートロールサイズプレス、ロッドメタリングサイズプレス、メタリングブレード方式のサイズプレス、ビルブレード、ショートドウェルコーター等の装置を用いることが可能である。
【００２２】
本発明の印刷用紙は、顔料塗工層を設けていてもよい。顔料塗工層には、目的に応じて、通常製紙業界で使用する顔料、接着剤を使用することができる。本発明においては、カレンダー処理などの表面処理を施してもよい。
【００２３】
上記の通り、製造した印刷用紙は、仕上げ工程において、本発明に規定する寸法となるよう加工される。
【００２４】
本発明の印刷用紙の坪量、密度、白色度等は特に限定されず、所望の範囲に適宜調整することができる。
【００２５】
本発明の印刷用紙は、電子写真用複写機、レーザービームプリンター、インクジェットプリンター、オフセット印刷などの枚葉複写機、枚葉印刷機に好適に使用される。
【００２６】
本発明の印刷用紙は、各種複写機、印刷機、プリンターの給紙用の用紙カセットにおいて、用紙カセットの中心と印刷用紙の中心を合わせてセットすることで、一般規格の印刷用紙と同様に通紙することができる。
【００２７】
本発明の印刷用紙は、ずれ防止用のシートを併用することにより、より搬送性が向上し、複写機や印刷機内で印刷用紙が詰まることにより発生するジャムトラブルを防止することができる。また、通常の規格よりサイズの小さい本発明の印刷用紙であっても、用紙カセット内で動いてしまうことがなく、良好に搬送することができる。具体的には、用紙カセット底面に、ずれ防止用のシートを設置し、その上に本発明の印刷用紙の束をずれ防止用シートの中心に合わせて設置し、通紙する。
【００２８】
ずれ防止シートは、長辺、短辺の長さが、ＩＳＯ２１６またはＪＩＳ  Ｐ  ０１３８で規定されているそれぞれの寸法の１００％であることが好ましい。ずれ防止用シートの材質は、摩擦係数が大きい方がよく、板紙、プラスチック、ゴムなどのいずれでも用いることができる。
【実施例】
【００２９】
以下に実施例および比較例をあげて本発明をより詳細に説明するが、当然ながら、本発明は実施例のみに限定されない。なお、例中の部および％はそれぞれ重量部、重量％を示す。
［品質性能評価項目］
以下に記載する評価方法で、印刷用紙の品質性能を評価した。
（１）キャノン社製カラープリンターiR5055を用い、１００％印字設定時の印字状況を目視により確認した。
（２）(１)と同じプリンターを用いて、５００枚複写した際の紙詰まり回数を計測した。
【００３０】
実施例１
長辺が２９４ｍｍ（Ａ４長辺の９９％長さ）、短辺が208ｍｍ（A4短辺の９９％長さ）である印刷用紙５００枚を１００％印字設定として、印刷を行った。
実施例２
長辺が２６８ｍｍ（Ａ４長辺の９０％長さ）、短辺が１８９ｍｍ（Ａ４短辺の９０％長さ）である印刷用紙５００枚を、１００％印字設定として、印刷を行った。
実施例３
実施例２において、印刷用紙５００枚の最下層に、ゴム製のずれ防止用シートを設置し、１００％印字設定として、印刷を行った。
比較例１
長辺が２５２ｍｍ（Ａ４長辺の８５％長さ）、短辺が１７９ｍｍ（Ａ４短辺の８５％長さ）である印刷用紙５００枚を１００％印字設定として、印刷を行った。
【００３１】
【表１】
2013204188.tif 000002
【００３２】
表１から、本発明の実施例１〜３によれば、用紙を軽量化しながら、印字品質や走行性が良好であることが示される。